(57)【要約】【課題】低い位置に干す場合でも洗濯物が地面に着くことがないとともに、高い位置に干す場合であっても椅子や脚立などを使わずに簡便に干すことのできる物干し用ハンガーを提供する。【解決手段】枠体２に、両端部が環状の対向部分に連結されて中央部が枠体２内の中心近傍を通過する一対のリブ部材３が、上記中心を間に挟んで対向形成され、これらリブ部材３の上記中央部間に、対向するリブ部材３側に向けて突出するブリッジ４が一体形成されるとともに、これらブリッジ４の先端部４ａ間に、枠体２を物干し竿等の外部取付部材Ｐに着脱自在に懸吊するための吊下げ部５が設けられ、かつ吊下げ部５は、一端部５ａに枠体２を外部取付部材Ｐに掛け止めする開閉自在のフック部６と、他端部５ｂにレバー７が揺動自在に設けられるとともに、一端部５ａと他端部５ｂとの間に、レバー７の揺動を直線運動に変換し、フック部６を開くワイヤまたはリンク機構８が設けられている。【選択図】図１
2010099265.tif 000002
【特許請求の範囲】
【請求項１】
環状に形成された枠体に、複数のピンチが懸吊された物干し用ハンガーにおいて、
上記枠体に、両端部が上記環状の対向部分に連結されて中央部が当該枠体内の中心近傍を通過する一対のリブ部材が、上記中心を間に挟んで対向形成され、これらリブ部材の上記中央部間に、対向する上記リブ部材側に向けて突出するブリッジが一体形成されるとともに、これらブリッジの先端部間に、上記枠体を物干し竿等の外部取付部材に着脱自在に懸吊するための吊下げ部が設けられてなり、
かつ上記吊下げ部は、上端部となる一端部に、上記枠体を上記外部取付部材に掛け止めするための開閉自在のフック部と、このフック部を閉方向に付勢するスプリングとが設けられ、下端部となる他端部にレバーが揺動自在に設けられるとともに、上記一端部と上記他端部との間に、上記レバーの揺動を直線運動に変換して上記スプリングの付勢力に抗して上記フック部を開くワイヤまたはリンク機構が設けられていることを特徴とする物干し用ハンガー。
【請求項２】
上記吊下げ部は、その外周が一対のジョイント部材によって、当該吊下げ部の軸線回りに回転自在に支持されるとともに、当該ジョイント部材は、その両端部が上記ブリッジの上記先端部に嵌め合わされて、上記ブリッジの一部を形成するとともに、上記ブリッジの軸線回りに回動自在に架設されることを特徴する請求項１に記載の物干し用ハンガー。
【請求項３】
上記一対のジョイント部材は、それぞれが同一の形状により形成され、かつ互いの中央部に形成されて、上記吊下げ部の外周を囲繞する半円形状の支持部と、この支持部から上記ブリッジのそれぞれの上記先端部に向けて延出される腕部とにより構成されていることを特徴とする請求項２に記載の物干し用ハンガー。
【請求項４】
上記一対のジョイント部材の上記両端部と上記ブリッジの先端部とが嵌め合わされた部分には、上記吊下げ部の上記枠体に対する水平位置および垂直位置において互いに係合する姿勢保持手段が設けられていることを特徴とする請求項２または３に記載の物干し用ハンガー。
【請求項５】
上記姿勢保持手段は、上記ブリッジの上記先端面の中心を通り鉛直方向に突出する凸部と、上記ジョイント部材の上記両端部の内方に、当該凸部を挟む位置に形成された係止片とにより構成されていることを特徴とする請求項４に記載の物干し用ハンガー。
【発明の詳細な説明】
【技術分野】
【０００１】
本発明は、複数のピンチを懸吊させた環状の枠体を物干し竿などの、外部取付部材に簡便に掛け止めすることのできる物干し用ハンガーに関するものである。
【背景技術】
【０００２】
近年、マンションなど集合住宅においては、美観を損ねるという理由から、ベランダなどの室外に洗濯物を干すことを規制しているところや、室外に干すことが許されている場合であっても、ベランダの高さより低い位置に物干し竿が設けられていて、外から洗濯ものが見えないようになっているところがある。
【０００３】
そのため、このような集合住宅において洗濯物を干す場合には、浴室や鴨居またはカーテンレールなどを利用して、室内に干すことになる。また、室外に干せる場合であっても干す位置が低いため、既存の物干し用ハンガーでは、ピンチが付いた枠体とフックなどの吊下げ部との間に、ワイヤやチェーンなどが介在して間隔があるため、シャツやズボンなどが地面に着いてしまい、折角洗濯しても汚れてしまう。その結果、ベランダに干すものは、おのずと下着類や靴下などの小物に限られてしまう。
【０００４】
また、ベランダの低い位置に干すことにより、十分な日射しを得られないとともに、風通しも良くないため、乾燥に時間が掛かってしまう。また、室外で乾かなかった場合には、浴室乾燥や室内において干して乾かすことが必要になる。
【０００５】
そこで、複数のピンチが付いた枠体とフックなどの吊下げ部との間に介在しているワイヤやチェーンなどを短くしたり、吊下げ部を直接枠体に取り付けるなどして、上記吊下げ部と上記枠体との距離を短くし、洗濯物が地面に着かないようにするとともに、日射しを受けやすいようにした物干し用ハンガーが求められている。そこで、例えば、下記の特許文献１のような物干し用ハンガーが提案されている。
【０００６】
この従来の物干し用ハンガーは、物干し竿等の長尺体への引っ掛け手段と、洗濯物を挟持する複数のクリップを有する枠体とを備え、前記引っ掛け手段が、少なくとも前記枠体における向き合った位置にそれぞれ設けてあり、この向き合った位置にある引っ掛け手段を前記長尺体にそれぞれ引っ掛けて、前記枠体により囲まれる面を略水平とするように当該長尺体に吊下げられるように構成されたものである。
【０００７】
このように、従来の物干し用ハンガーは、引っ掛け手段が枠体の向き合った位置に直接設けてあるため、引っ掛け手段と枠体との距離が短くなっている。これにより、低い位置に設けられた物干し竿などに掛け止めして洗濯物を干した場合には、ズボンやシャツなどの比較的大きい洗濯物でも地面と接触せずに干すことができる。
【０００８】
【特許文献１】特開平１０−２３５０８５号公報
【発明の開示】
【発明が解決しようとする課題】
【０００９】
ところが、上記従来の物干し用ハンガーは、ベランダなど室外において乾燥しきれなかった洗濯物を室内で再度干して乾燥させる場合に、引っ掛け手段と枠体との距離が短いため、浴室内の物干し竿などの高所に干す際には、背伸びをするか、それでも届かない時には、椅子や脚立などを用意する必要がある。このため、室内で上記従来の物干し用ハンガーを利用する場合には、大変手間が掛かるとともに、不安定な状態で作業を強いられてしまい作業性が悪いという問題がある。
【００１０】
また、上記引っ掛け手段が上記枠体の向き合った位置にそれぞれ設けられているため、洗濯物を干したまま室外から室内に移動させて、浴室内の物干し竿などの高所に干す時には、両手を使って引っ掛けなければならないため、作業性が悪いという問題ともに、椅子や脚立を利用していた場合には、バランスを崩しやすく、危険であるという問題もある。
【００１１】
本発明は、かかる事情に鑑みてなされたもので、低い位置に干す場合でも洗濯物が地面に着くことがないとともに、高い位置に干す場合であっても椅子や脚立などを使わずに簡便に干すことのできる物干し用ハンガーを提供することを課題とするのもである。
【課題を解決するための手段】
【００１２】
上記課題を解決するために、請求項１に記載の発明は、環状に形成された枠体に、複数のピンチが懸吊された物干し用ハンガーにおいて、上記枠体に、両端部が上記環状の対向部分に連結されて中央部が当該枠体内の中心近傍を通過する一対のリブ部材が、上記中心を間に挟んで対向形成され、これらリブ部材の上記中央部間に、対向する上記リブ部材側に向けて突出するブリッジが一体形成されるとともに、これらブリッジの先端部間に、上記枠体を物干し竿等の外部取付部材に着脱自在に懸吊するための吊下げ部が設けられてなり、かつ上記吊下げ部は、上端部となる一端部に、上記枠体を上記外部取付部材に掛け止めするための開閉自在のフック部と、このフック部を閉方向に付勢するスプリングとが設けられ、下端部となる他端部にレバーが揺動自在に設けられるとともに、上記一端部と上記他端部との間に、上記レバーの揺動を直線運動に変換して上記スプリングの付勢力に抗して上記フック部を開くワイヤまたはリンク機構が設けられていることを特徴とするものである。
【００１３】
また、請求項２に記載の本発明は、請求項１に記載の物干し用ハンガーにおいて、上記吊下げ部は、その外周が一対のジョイント部材によって、当該吊下げ部の軸線回りに回転自在に支持されるとともに、当該ジョイント部材は、その両端部が上記ブリッジの上記先端部に嵌め合わされて、上記ブリッジの一部を形成するとともに、上記ブリッジの軸線回りに回動自在に架設されることを特徴するものである。
【００１４】
そして、請求項３に記載の本発明は、請求項２に記載の物干し用ハンガーにおいて、上記一対のジョイント部材は、それぞれが同一の形状により形成され、かつ互いの中央部に形成されて、上記吊下げ部の外周を囲繞する半円形状の支持部と、この支持部から上記ブリッジのそれぞれの上記先端部に向けて延出される腕部とにより構成されていることを特徴とするものである。
【００１５】
さらに、請求項４に記載の本発明は、請求項２または３に記載の物干し用ハンガーにおいて、上記一対のジョイント部材の上記両端部と上記ブリッジの先端部とが嵌め合わされた部分には、上記吊下げ部の上記枠体に対する水平位置および垂直位置において互いに係合する姿勢保持手段が設けられていることを特徴とするものである。
【００１６】
また、請求項５に記載の本発明は、請求項４に記載の物干し用ハンガーにおいて、上記姿勢保持手段は、上記ブリッジの上記先端面の中心を通り鉛直方向に突出する凸部と、上記ジョイント部材の上記両端部の内方に、当該凸部を挟む位置に形成された係止片とにより構成されていることを特徴とするものである。
【発明の効果】
【００１７】
請求項１〜５のいずれかに記載の本発明によれば、複数のピンチが懸吊された環状の枠体に連結された一対のリブ部材と、このリブ部材の中央部間に対向して設けられたブリッジとを一体に形成し、この対向するブリッジの間に、上記枠体を物干し竿等の外部取付部材に着脱自在に懸吊する吊下げ部を設けているため、この吊下げ部の上端部と上記枠体との距離を短くすることでき、ベランダの低い位置にある物干し竿などの外部取付部材に掛け止めしても、ズボンやシャツなどの洗濯物が地面に接触することなく干すことができる。
【００１８】
また、上記吊下げ部は、上端部となる一端部に、物干し竿などの上記外部取付部材に掛け止めするための開閉自在のフック部と、このフック部を閉方向に付勢するスプリングとを設けているため、上記物干し用ハンガーをベランダなどの低い位置に設けられた外部取付部材に掛け止めする際には、当該スプリングの付勢力を抗するのみにより簡便に取り付けることができるとともに、確実に物干し竿などの上記外部取付部材に固定することができる。これより、狭いベランダにおいて、上記物干し用ハンガーにぶつかったり、強い風により上記外部取付部材から外れることがないため、マンションなどの高層階でも安心して洗濯物を干すことができる。
【００１９】
さらに、上記吊下げ部の下端部となる他端部に、レバーが揺動自在に設けられるとともに、上記一端部と上記他端部との間に、上記レバーの揺動を直線運動に変換して上記スプリングの付勢力に抗して上記フック部を開くワイヤまたはリンク機構を設けているため、上記物干し用ハンガーを浴室内の物干し竿などの高所に干す際にも、片手でレバーを操作することにより、上記吊下げ部の上記一端部のフック６を開閉させることができる。これにより、無理なく安全に室内の高所に干すことができるとともに、確実に浴室内の物干し竿などの外部取付部材に掛け止めすることができる。
【００２０】
請求項２に記載の発明によれば、上記吊下げ部は、一対のジョイント部材により、当該吊下げ部の軸線回りに回転自在に支持されるとともに、当該一対のジョイント部材は、その両端部が上記ブリッジの上記先端部に嵌め合わされて、上記ブリッジの軸線回りに回動自在に架設されているため、上記物干し用ハンガーを収納する際には、上記吊下げ部を回転および回動させるのみにより簡便に収納することができる。
【００２１】
また、上記枠体と上記吊下げ部とを上記一対のジョイント部材により支承するため、収納の際に、上記枠体に懸吊されている複数のピンチが絡み合うことがない。従って、使用に際しては、絡み合った上記ピンチを外す手間を省くことができ、無駄な労力を使わずに洗濯物を干すことができる。
【００２２】
請求項３に記載の本発明によれば、上記ジョイント部材は、中央部に上記吊下げ部の外周を囲繞する半円形状の支持部と、この支持部から上記ブリッジのそれぞれの上記先端部に向けて延出される腕部とにより構成し、互いを同一の形状によって形成するため、射出成形型を一つ製造するだけどよく、さらに部品点数を減らすことができ、製造コストを抑えることができる。
【００２３】
請求項４に記載の本発明によれば、上記一対のジョイント部材の上記両端部と上記ブリッジの先端部とが嵌め合わされた部分に、上記吊下げ部の上記枠体に対する水平位置および垂直位置において、互いに係合する姿勢保持手段を設けたため、上記吊下げ部の回動を直接上記姿勢保持手段に伝えることができる。この結果、複雑な構造の姿勢保持手段を設ける必要がないとともに、外観の見栄えを良くすることができる。
【００２４】
請求項５に記載の本発明によれば、上記姿勢保持手段は、上記ブリッジの上記先端部端面の中心を通り鉛直方向に突出する凸部と、上記ジョイント部材の上記両端部の内方に、当該凸部を挟む位置に係止片とにより構成するため、簡単な構造により上記吊下げ部の姿勢を保持することができ、製造コストを抑えることができる。また、無理な力を必要とせずに、上記吊下げ部が回動するため、力の弱い女性やお年寄りにも簡便に利用することができる。
【発明を実施するための最良の形態】
【００２５】
図１〜１１は、本発明の物干し用ハンガーの一実施形態を示す。
図１〜３に示すように、本発明の物干し用ハンガー１は、環状に形成された長方形の枠体２に、複数のピンチｔが懸吊されるとともに、この枠体２の中央部に、物干し竿などの外部取付部材Ｐに掛け止めするための吊下げ部５を設けることにより概略構成されている。
【００２６】
ここで、枠体２には、一対のリブ部材３が一体的に形成されている。このリブ部材３は、その両端部が枠体２の短手方向の対向部分に連結され、中央部が枠体２内の中心近傍を通過し、この中心を間に挟み枠体２の長手方向に沿って対向形成されている。また、このリブ部材３の上記中央部間には、対向するリブ部材３側に向けて突出するブリッジ４が一体形成されている。さらに、図６に示すように、このブリッジ４の対向する先端部４ａの端面には、その中心部を通り鉛直方向に凸部４ｂが形成されている。
【００２７】
また、ブリッジ４の先端部４ａ間には、枠体２を物干し竿等の外部取付部材Ｐに着脱自在に懸吊するための吊下げ部５が設けられている。この吊下げ部５は、図５および図９に示すように、使用時に上端部となる一端部５ａに、枠体２を外部取付部材Ｐに掛け止めするための開閉自在のフック部６が設けられている。このフック部６は、固定グリップ６ａと揺動グリップ６ｂと、この揺動グリップが係合する支点部６ｃにより構成されるとともに、閉方向に付勢するスプリング６ｄによって、揺動グリップ６ｂが支点部６ｃの回りに揺動自在に設けられている。
【００２８】
そして、吊下げ部５の下端部となる他端部５ｂには、レバー７が揺動自在に設けられている。このレバー７は、略Ｌ字状をなし、その短辺部が他端部５ｂの径方向に向けて挟み込まれ、他端部５ｂの外方に形成された支点部７ａに回転自在に軸支されているとともに、リンク機構８により、一端部５ａのフック部６に連結されている。このリンク機構８は、略Ｌ字状のレバー部７の短辺部と長辺部とが交差する部分に、ワイヤの一端部が係合されているとともに、吊下げ部の内方を通り、上端部となる一端部５ａの揺動グリップ６ｂに、ワイヤの他端部が係合されている。
【００２９】
さらに、吊下げ部５は、フック部６が設けられた一端部５ａ側と、レバー７が設けれた他端部５ｂ側とが別体により形成され、その中央近傍において、互いを径方向にスライドさせ嵌合する嵌合部１１により一体的に形成されている。この嵌合部１１は、一対のジョイント部材９により囲繞されるとともに、この一対のジョイント部材９の両端部９ａが、ブリッジ４の先端部４ａに形成された溝４ｃに嵌合されている。
【００３０】
また、ジョイント部材９は、同一の形状により形成され、図７に示すように、吊下げ部５の嵌合部１１を囲繞する半円形状の支持部９ｂと、この支持部９ｂからブリッジ４のそれぞれの先端部４ａに向けて延出される腕部９ｃにより構成されている。この腕部９ｃの一方の内方には、ジョイント部材９が嵌合された際にネジｒを螺着させるための案内部材９ｅが、もう一方のジョイント部材９に向けて突出しているとともに、腕部９ｃの他方の内方には、もう一方のジョイント部材９の案内部材９ｅと向き合う位置に、ネジｒが貫通するネジ穴９ｆが形成されている。
【００３１】
さらに、腕部９ｃの内方には、案内部材９ｅを挟んで係止片９ｄが形成されている。この係止片９ｄは、案内部材９ｅの半分の高さに突出するとともに、案内部材９ｅの中心から、腕部９ｃの端部方向に延設されている。また、ジョイント部材９のそれぞれの腕部９ｃの上記端部には、ブリッジ４の溝部４ｃに嵌合される凸部９ｇが、内周面に周設されている。
【００３２】
以上の構成による本実施形態の物干し用ハンガーを用いて、物干し竿などの外部取付部材Ｐを利用して干すためには、まず図３に示すように、収納時に吊下げ部５が枠体２の水平方向に保持されている状態から、この吊下げ部５の他端部５ｂを把持しブリッジ４の軸線回りを回動させ垂直位置に起立させる。この時に、図４（ｃ）に示すように、吊下げ部５を囲繞している一対のジョイント部材９の両端部の内方に形成されている係止片９ｄが、ブリッジ４の先端部４ａに形成されている凸部４ｂに係止されているため、吊下げ部５を把持し回動させないかぎり保持される。そして、図４（ｂ）に示すように、回動させることにより、係止されていた係止片９ｄが、ブリッジ４の先端部４ａの凸部４ｂを乗り越えて、図４（ａ）の位置で再度係止され、吊下げ部５が起立した状態に保持される。このときも、力を入れて回動させないかぎり起立した状態に保持される。
【００３３】
そして、図１０に示すように、ベランダの低い位置に設けられた物干し竿などの外部取付部材Ｐに掛け止めするためには、吊下げ部５の一端部５ａに設けられたフック部６の固定グリップ６ａと揺動グリップ６ｂを把持して、フック部６に内設されているスプリング６ｄの付勢を抗して外部取付部材Ｐに取り付ける。このときに、枠体２のブリッジ４の一部なしている一対のジョイント部材９と吊下げ部５とが、この吊下げ部５の軸線回りに回転自在に設けられているため、周りの状況により枠体２を任意の位置に回転させることができる。
【００３４】
次いで、枠体２に懸吊されているピンチｔに、洗濯物を吊して乾燥させる。しかしながら、天気の状態によっては、ベランダなどの室外での乾燥だけでは乾かない場合がある。この場合には、物干し竿などの外部取付部材Ｐより、フック部６の固定グリップ６ａと揺動グリップ６ｂを把持して、フック部６に内設されているスプリング６ｄの付勢を抗して取り外し浴室内に移動させる。そして、図１１に示すように、吊下げ部５の他端部５ｂを把持し、レバー７を揺動させて、一端部５ｂのフック部６をワイヤやリンク機構８により開いて掛け止めする。
【００３５】
上述の実施形態による物干し用ハンガー１によれば、複数のピンチｔが懸吊された環状の枠体２に連結された一対のリブ部材３と、このリブ部材３の中央部間に対向して設けられたブリッジ４とを一体に形成し、この対向するブリッジ４の間に、枠体２を物干し竿等の外部取付部材Ｐに着脱自在に懸吊する吊下げ部５を設けているため、吊下げ部５の上端部５と枠体２の距離を短くすことができ、ベランダの低い位置にある物干し竿などの外部取付部材Ｐに掛け止めしても、ズボンやシャツなどの洗濯物が地面に接触することなく干すことができる。
【００３６】
また、吊下げ部５は、上端部となる一端部５ａに、物干し竿などの外部取付部材Ｐに掛け止めするための開閉自在のフック部６に、このフック部６を閉方向に付勢するスプリング６ｄを設けているため、物干し用ハンガー１をベランダなどの低い位置に設けられた物干し竿などの外部取付部材Ｐに掛け止めする際には、スプリング６ｄの付勢を抗するのみより簡便に取り付けることができるとともに、確実に物干し竿などの外部取付部材Ｐに固定することできる。これにより、狭いベランダにおいて、物干し用ハンガー１にぶつかったり、強い風により上記外部取付部材から外れることがないため、マンションなどの高層階でも安心して洗濯物を干すことができる。
【００３７】
さらに、吊下げ部５の下端部となる他端部５ｂに、レバー７が揺動自在に設けられるとともに、一端部５ａと他端部５ｂとの間に、レバー７の揺動を直線運動に変換してスプリング６ｄの付勢力に抗してフック部６を開くワイヤまたはリンク機構８を設けているため、物干し用ハンガー１を浴室内の物干し竿Ｐなどの高所に干す際にも、片手でレバー７を操作することにより、吊下げ部５の一端部５ａのフック部６を開閉させることができる。これにより、無理なく安全に室内の高所に洗濯物を干すことができるとともに、確実に浴室内の物干し竿などの外部取付部材Ｐに掛け止めすることができる。
【００３８】
そして、吊下げ部５は、一対のジョイント部材９により、吊下げ部９の軸線回りに回転自在に支持されるとともに、一対のジョイント部材９は、その両端部がブリッジ４の先端部４ａに嵌め合わされて、ブリッジ４の軸線回りに回動自在に架設されているため、物干し用ハンガー１を収納する際には、吊下げ部５を回転および回動させるのみにより簡便に収納することができる。
【００３９】
また、枠体２と吊下げ部５とを一対のジョイント部材９により支承するため、収納の際に、枠体２に懸吊されている複数のピンチｔが絡み合うことがない。従って、使用に際しては、絡み合ったピンチｔを外す手間を省くことができ、無駄な労力を使わずに洗濯物を干すことができる。
【００４０】
そして、一対のジョイント部材９は、中央部に吊下げ部５の外周を囲繞する半円形状の支持部９ｂと、この支持部９ｂからブリッジ４のそれぞれの先端部４ａに向けて延出される腕部９ｃとにより構成し、互いを同一の形状によって形成するため、射出成形型を一つ製造するだけどよく、さらに部品点数を減らすことができ、製造コストを抑えることができる。
【００４１】
さらに、一対のジョイント部材９の両端部９ａとブリッジ４の先端部４ａとを嵌め合わされた部分に、吊下げ部５の枠体２に対して水平位置および垂直位置に、互いに係合する姿勢保持手段１０を設けたため、吊下げ部５の回動を直接姿勢保持手段１０に伝えることができる。この結果、複雑な構造の姿勢保持手段を設ける必要がないとともに、外観の見栄えを良くすることができる。
【００４２】
また、姿勢保持手段１０は、ブリッジ４の先端部４ａ端面の中心を通り鉛直方向に突出する凸部４ｂと、一対のジョイント部材９の両端部９ａの内方に、凸部４ｂを挟む位置に係止片９ｄとにより構成するため、簡単な構造により吊下げ部５の姿勢を保持することができ、製造コストを抑えることができる。また、無理な力を必要とせずに、吊下げ部５が回動するため、力の弱い女性やお年寄りにも簡便に利用することができる。
【００４３】
なお、上記実施の形態において、環状の枠体２に長形を用いた場合についてのみ説明したが、これに限定されるものではなく、例えば、環状の枠体２に円形を用いても対応可能である。
【図面の簡単な説明】
【００４４】
【図１】本発明の物干し用ハンガーの一実施形態を示し、吊下げ部が起立した状態の斜視図である。
【図２】本発明の物干し用ハンガーの一実施形態を示し、吊下げ部を倒した状態の斜視図である。
【図３】本発明の物干し用ハンガーの一実施形態を示し、吊下げ部を９０°回転した状態の斜視図である。
【図４】本発明の物干し用ハンガーの姿勢保持手段を説明する説明図である。
【図５】本発明の物干し用ハンガーの吊下げ部とブリッジとの嵌合状態を示し、（ａ）は右側面の一部断面図、（ｂ）は正面の一部断面図、（ｃ）は正面図である。
【図６】本発明の物干し用ハンガーの吊下げ部とブリッジの組立方法を示す斜視図である。
【図７】本発明の物干し用ハンガーのジョイント部材の分解状態を示した斜視図である。
【図８】本発明の物干し用ハンガーのジョイント部材を示し、（ａ）は正面図、（ｂ）は左側面図、（ｃ）は右側面図、（ｄ）は平面図、（ｅ）は背面図である。
【図９】本発明の物干し用ハンガーの吊下げ部を示し、（ａ）は正面図、（ｂ）は一端部と他端部との係合方法を示す説明図である。
【図１０】本発明の物干し用ハンガーをベランダの物干し竿に掛け止めする方法を示す説明図である。
【図１１】本発明の物干し用ハンガーを浴室内の物干し竿に掛け止めする方法を示す説明図である。
【符号の説明】
【００４５】
１  物干し用ハンガー
２  枠体
３  リブ部材
４  ブリッジ
４ａ  先端部  
４ｂ  凸部
５  吊り下げ部
５ａ  一端部  
５ｂ  他端部
６  フック部
６ｄ  スプリング
７  レバー  
８  ワイヤまたはリンク機構  
９  ジョイント部材
９ａ  両端部
９ｂ  支持部  
９ｃ  腕部  
９ｄ  係止片  
１０  姿勢保持手段
ｔ  ピンチ
Ｐ  外部取付部材（物干し竿）
【図１】
2010099265.tif 000003
【図２】
2010099265.tif 000004
【図３】
2010099265.tif 000005
【図４】
2010099265.tif 000006
【図５】
2010099265.tif 000007
【図６】
2010099265.tif 000008
【図７】
2010099265.tif 000009
【図８】
2010099265.tif 000010
【図９】
2010099265.tif 000011
【図１０】
2010099265.tif 000012
【図１１】
2010099265.tif 000013